(57)【要約】【課題】磁気記録媒体に形成されたプリフォーマット情報に対応するパターンから−Ｖ〜＋Ｖの再生出力を得ることができる垂直磁気記録媒体のパターン磁化方法およびその方法によって磁化された垂直磁気記録媒体を提供する。【解決手段】本発明に係る垂直磁気記録媒体の初期化方法は、非磁性基体上に、第１の磁気記録層と、結合層と、第２の磁気記録層とが順次形成され、前記第１の磁気記録層と前記第２の磁気記録層は前記結合層を介して強磁性結合しており、前記第２の磁気記録層にはサーボデータなどのプリフォーマット情報に対応するパターンが形成された垂直磁気記録媒体を初期化する方法であって、外部から磁界を印加することによって、前記第２の磁気記録層の前記プリフォーマット情報に対応した再生出力を得ることを特徴とする。【選択図】図７
2009181613.tif 000002
【特許請求の範囲】
【請求項１】
非磁性基体上に、第１の磁気記録層と、結合層と、第２の磁気記録層とが順次形成され、前記第１の磁気記録層と前記第２の磁気記録層は前記結合層を介して強磁性結合しており、前記第１の磁気記録層および前記第２の磁気記録層は磁化容易軸が前記非磁性基体の面内方向に対して略垂直であり、前記第１の磁気記録層の異方性磁界をＨｋ1、一軸異方性定数をＫｕ1、膜厚をＴ1とし、前記第２の磁気記録層の異方性磁界をＨｋ2、一軸異方性定数をＫｕ2、膜厚をＴ2とすると、Ｈｋ1＞Ｈｋ2かつＫｕ1Ｔ1＞Ｋｕ2Ｔ2の関係を有し、前記第２の磁気記録層にはサーボデータなどのプリフォーマット情報に対応するパターンが形成された垂直磁気記録媒体を初期化する方法であって、
外部から磁界を印加することによって、前記第２の磁気記録層の前記プリフォーマット情報に対応した再生出力を得ることを特徴とする垂直磁気記録媒体の初期化方法。
【請求項２】
前記外部から磁界を印加することは、前記非磁性基体の面内方向に対して垂直に磁界Ｈ1を印加する第１の工程と、前記磁界Ｈ1とは逆向きの方向に磁界Ｈ2を印加する第２の工程とを含み、Ｈ1＞Ｈ2であることを特徴とする請求項１に記載の垂直磁気記録媒体の初期化方法。
【請求項３】
前記磁界Ｈ1および前記磁界Ｈ2は、前記プリフォーマット情報が形成された領域において、前記プリフォーマット情報の形成により第２の磁気記録層が除去された箇所の反転磁界をＨb、第２の磁気記録層が除去されていない箇所の反転磁界をＨaとすると、Ｈ1＞Ｈb＞Ｈa、Ｈb＞Ｈ2＞Ｈaであることを特徴とする請求項２に記載の垂直磁気記録媒体の初期化方法。
【請求項４】
前記垂直磁気記録媒体は、前記非磁性基体の反対側にも、前記第１の磁気記録層と、前記結合層と、前記第２の磁気記録層とが順次形成され、その両側の前記第２の磁気記録層にはともに、前記プリフォーマット情報に対応する前記パターンが形成されており、
前記第１の工程では両面同時に同一方向の磁界を印加し、前記第２の工程では前記第１の工程とは逆向きの方向に、両面同時に同一方向の磁界を印加することを特徴とする請求項２または３に記載の垂直磁気記録媒体の初期化方法。
【請求項５】
前記垂直磁気記録媒体は、データ記録領域において、データトラックおよびデータ要素が、第２の記録層を除去することで分離されていることを特徴とする請求項１乃至４のいずれかに記載の垂直磁気記録媒体の初期化方法。
【請求項６】
請求項１乃至５のいずれかに記載の垂直磁気記録媒体の初期化方法によって初期化されたことを特徴とする垂直磁気記録媒体。
【発明の詳細な説明】
【技術分野】
【０００１】
本発明は一般に、垂直磁気記録媒体に関し、より詳細には、プリフォーマット情報に対応するパターンが形成された垂直磁気記録媒体のパターンを磁化する方法およびその方法によって磁化された垂直磁気記録媒体に関する。
【背景技術】
【０００２】
近年、ハードディスクドライブは大容量化される傾向にあり、磁気記録媒体の高記録密度化が進んでいる。記録媒体の面内方向に平行に磁化する従来の長手記録方式では、記録媒体を高記録密度化すると、熱揺らぎによる磁化反転の影響が大きくなるため、その高記録密度化が限界に近づいている。一方、記録媒体の面内方向に対して垂直方向に磁化する垂直記録方式では、記録磁化内の反磁界は、記録密度が増加すると磁化を安定化させる傾向になるため、反磁界による熱揺らぎは起こりにくい。そのため、磁気記録媒体の高記録密度化のために、垂直磁気記録媒体の開発が盛んに行われている。
【０００３】
一方、記録密度の増加に伴うトラック密度の上昇により、データ書き込み時、ヘッドギャップの側面から生じる漏れ磁界によって、トラックとトラックとの間の領域に余計な記録（サイドフリンジ）をしてしまうことがある。これが雑音の原因となり、再生信号のＳ／Ｎ比が低下してしまう。そこで、磁気記憶媒体の記録トラック間に溝を設けた、ディスクリートトラック方式の磁気記憶媒体が提案されている。ディスクリートトラック方式の磁気記録媒体は、トラックとトラックとの間を非磁性体で埋めたものであり、サイドフリンジによって生じる再生信号のＳ／Ｎ比の低下を防ぐことができる（例えば、特許文献１参照）。また、磁気記録媒体表面に、記録されるデータの１ｂｉｔに対応する凹凸形状を形成するような、いわゆるパターンドメディアと呼ばれるものも提案されている。
【０００４】
このような、ディスクリートトラックメディアまたはパターンドメディアと呼ばれる磁気記録媒体には、ハードディスクドライブにおいて用いられる位置決め情報（サーボデータ）などが、あらかじめ記録層の凹凸形状として形成されることが多い。
【０００５】
図１２は、サーボデータ等のプリフォーマット情報について説明するための、磁気記録媒体と磁気ヘッドの模式図である。また、図１３は、プリフォーマット情報に対応する再生信号の信号振幅を説明するための図である。  
図１２に示されるように、磁気記録媒体１２０は、基盤１２１と、軟磁性層１２２と、凹凸形状を有する記録層１２３とが積層して構成されている。記録層１２３の凹凸として形成されたサーボデータ等のプリフォーマット情報は、たとえば、磁気記録媒体表面に対して垂直方向の磁界で磁化されることで、凹凸に対応した再生信号として得ることができる。図１３も併せて参照すると、磁気ヘッド１２４が、プリフォーマット情報に対応する凹凸上を通過する際に得られる信号は、記録層１２３の凸形状部では出力が＋Ｖ（あるいは−Ｖ）となり、記録層のない凹形状部では出力が０となることがわかる。したがって、その信号振幅は、０〜＋Ｖ（あるいは０〜−Ｖ）となることがわかる。
【０００６】
【特許文献１】特開平９−９７４１９号公報
【特許文献２】特開２００６−４８９００号公報
【特許文献３】特開２００４−１１０８９６号公報
【特許文献４】特開２００３−１６６２３号公報
【発明の開示】
【発明が解決しようとする課題】
【０００７】
上述したように、ディスクリートトラックメディアやパターンドメディアにおけるプリフォーマット情報は、その信号振幅が０〜＋Ｖ（あるいは０〜−Ｖ）の再生信号となる。しかしながら、記録層に凹凸のない通常の箇所での磁気ヘッドによる再生信号の信号振幅は、−Ｖ〜＋Ｖとなる。すなわち、凹凸で形成されるようなプリフォーマット情報の再生信号は、通常のおよそ１／２となってしまうという問題がある（例えば、特許文献３参照）。たとえば、サーボデータの信号出力が１／２になるということは、ハードディスクドライブにおける位置決め性能にも悪影響をおよぼしてしまう。
【０００８】
なお、一方向に磁化した後、凸部のみを磁化反転させる、磁気記録媒体の初期化方法が開示されている（特許文献４）。
【０００９】
本発明は、このような問題に鑑みてなされたものであり、その目的とするところは、媒体表面に形成されたプリフォーマット情報に対応するパターンから、−Ｖ〜＋Ｖの再生出力を得る方法を提供することにある。
【課題を解決するための手段】
【００１０】
このような目的を達成するために、請求項１に記載の発明は、非磁性基体上に、第１の磁気記録層と、結合層と、第２の磁気記録層とが順次形成され、前記第１の磁気記録層と前記第２の磁気記録層は前記結合層を介して強磁性結合しており、前記第１の磁気記録層および前記第２の磁気記録層は磁化容易軸が前記非磁性基体の面内方向に対して略垂直であり、前記第１の磁気記録層の異方性磁界をＨｋ１、一軸異方性定数をＫｕ１、膜厚をＴ１とし、前記第２の磁気記録層の異方性磁界をＨｋ２、一軸異方性定数をＫｕ２、膜厚をＴ２とすると、Ｈｋ１＞Ｈｋ２かつＫｕ１Ｔ１＞Ｋｕ２Ｔ２の関係を有し、前記第２の磁気記録層にはサーボデータなどのプリフォーマット情報に対応するパターンが形成された垂直磁気記録媒体を初期化する方法であって、外部から磁界を印加することによって、前記第２の磁気記録層の前記プリフォーマット情報に対応した再生出力を得ることを特徴とする。
【００１１】
請求項２に記載の発明は、請求項１に記載の垂直磁気記録媒体の初期化方法であって、前記外部から磁界を印加することは、前記非磁性基体の面内方向に対して垂直に磁界Ｈ１を印加する第１の工程と、前記磁界Ｈ１とは逆向きの方向に磁界Ｈ２を印加する第２の工程とを含み、Ｈ１＞Ｈ２であることを特徴とする。
【００１２】
請求項３に記載の発明は、請求項２に記載の垂直磁気記録媒体の初期化方法であって、前記磁界Ｈ１および前記磁界Ｈ２は、前記プリフォーマット情報が形成された領域において、前記プリフォーマット情報の形成により第２の磁気記録層が除去された箇所の反転磁界をＨｂ、第２の磁気記録層が除去されていない箇所の反転磁界をＨａとすると、Ｈ１＞Ｈｂ＞Ｈａ、Ｈｂ＞Ｈ２＞Ｈａであることを特徴とする。
【００１３】
請求項４に記載の発明は、請求項２または３に記載の垂直磁気記録媒体の初期化方法であって、前記垂直磁気記録媒体は、前記非磁性基体の反対側にも、前記第１の磁気記録層と、前記結合層と、前記第２の磁気記録層とが順次形成され、その両側の前記第２の磁気記録層にはともに、前記プリフォーマット情報に対応する前記パターンが形成されており、前記第１の工程では両面同時に同一方向の磁界を印加し、前記第２の工程では前記第１の工程とは逆向きの方向に、両面同時に同一方向の磁界を印加することを特徴とする。
【００１４】
請求項５に記載の発明は、請求項１乃至４のいずれかに記載の垂直磁気記録媒体の初期化方法であって、前記垂直磁気記録媒体は、データ記録領域において、データトラックおよびデータ要素が、第２の記録層を除去することで分離されていることを特徴とする。
【００１５】
請求項６に記載の発明は、請求項１乃至５のいずれかに記載の垂直磁気記録媒体の初期化方法によって初期化されたことを特徴とする垂直磁気記録媒体である。
【００１６】
このように、請求項１に記載の発明は、非磁性基板上に、第１の磁気記録層と、結合層と、第２の磁気記録層とが順次積層され、前記第１の磁気記録層と前記第２の磁気記録層とは前記結合層を介して強磁性結合しており、前期第１の磁気記録層および前記第２の磁気記録層は磁化容易軸が前記非磁性基体面に対して略垂直方向であり、前記第１の磁気記録層の異方性磁界をＨｋ1、一軸異方性定数をＫｕ1、膜厚をＴ1とし、前記第２の磁気記録層の異方性磁界をＨｋ2、一軸異方性定数をＫｕ2、膜厚をＴ2とすると、Ｈｋ1＞Ｈｋ2かつＫｕ1Ｔ1＞Ｋｕ2Ｔ2の関係を有している垂直磁気記録媒体を用いる。このような媒体構成により、熱安定性を阻害することなく反転磁界を低下させて記録容易性を高めることが提案されている（特許文献２参照）。
【００１７】
さらに、本発明では、上記構成の垂直記録媒体に、図１に示されるように、プリフォーマット情報に対応して、第２の磁気記録層１２をパターニングし、第２の磁気記録層１２がある箇所（凸部）とない箇所（凹部）を形成する。第２の磁気記録層１２がある箇所の反転磁界をＨa、第２の磁気記録層１２を除去した箇所の反転磁界をＨbとすると、Ｈbは、第２の磁気記録層１２が除去されていることで、Ｈb＞Ｈaとなる。これは、上記媒体構成における反転磁界を低下させるメカニズムが、第２の記録層１２に起因することから明らかである。
【００１８】
次いで、図２を参照して、プリフォーマット情報が第２の記録層１２に形成された垂直磁気記録媒体を初期化する方法の概要を説明する。  
最初に、基板垂直方向にＨbより大きな磁界Ｈ1を印加する(図２（ａ）参照)。この時、Ｈ1＞Ｈb＞Ｈaであるので、凸部および凹部は両方とも、Ｈ1により磁化される（図２（ｂ）参照）。次に、磁界Ｈ1とは逆向きに磁界Ｈ2を印加する(図２（ｃ）参照)。このときの磁界の強さは、Ｈb＞Ｈ2＞Ｈaとする。このようにすることで、凸部のみを磁界Ｈ2の方向に磁化することができる（図２（ｄ）参照）。以上のように２段階でプリフォーマットパターンを磁化することで、対応するパターンから、−Ｖ〜＋Ｖの再生出力を得ることができる。
【００１９】
一方、第２の磁気記録層１２にプリフォーマット情報を形成するのと同時に、データトラックとデータ要素との間を、第２の記録層１２の除去により分離することができる。このとき、磁気記録装置におけるデータ書き込みヘッドの記録磁界Ｈwを、Ｈb＞Ｈw＞Ｈaとすると、データ記録時に、第２の記録層１２が存在する箇所のみを磁化することができる。こうすることによって、サイドフリンジを防止することができる。
【発明の効果】
【００２０】
本発明によれば、磁気記録媒体に形成されたプリフォーマット情報に対応するパターンから−Ｖ〜＋Ｖの再生出力を得ることができる垂直磁気記録媒体のパターン磁化方法、およびその方法によって磁化された垂直磁気記録媒体を提供することが可能となる。
【発明を実施するための最良の形態】
【００２１】
以下に、図面を参照しながら、本発明の実施形態について詳細に説明する。なお、複数の図面において同一の符号は同一物を表し、その繰り返しの説明は省略する。
【００２２】
（第１の実施形態）
図３は、本発明の一実施形態に係る垂直磁気記録媒体の断面模式図である。本発明の一実施形態に係る垂直磁気記録媒体は、非磁性基体３０上に、軟磁性裏打ち層３１、下地層３２、非磁性中間層３３、第１の磁気記録層３４、結合層３５、第２の磁気記録層３６が順次形成される。さらに、プリフォーマット情報に対応して、第２の磁気記録層３６が部分的に除去され、保護層３７および潤滑層３８が順次形成される。
【００２３】
非磁性基体３０には、磁気記録媒体用として周知の基体を用いることができる。例えば、ＮｉＰメッキを施したＡｌ合金、強化ガラスまたは結晶化ガラス等を用いることができる。  
軟磁性裏打ち層３１は、磁気記録に用いられる磁気ヘッドからの磁束を制御して、記録・再生特性を向上させるために形成される。軟磁性裏打ち層３１には、たとえば、非晶質のＣｏ合金であるＣｏＺｒＮｂまたはＣｏＴａＺｒ等を用いることができる。なお、軟磁性裏打ち層３１は省略することも可能である。
【００２４】
下地層３２は、その上に形成する非磁性中間層３３または第１の磁気記録層３４の結晶配向性および結晶粒径等を制御するために形成される。下地層３２には、非磁性材料または軟磁性材料を用いることができる。なお、下地層３２も省略することができる。  
下地層３２を軟磁性材料で形成すると、下地層３２が軟磁性裏打ち層３１の機能の一部を担うことができるので、下地層３２には軟磁性材料がより好ましく用いられる。軟磁性材料としては、パーマロイ系材料である、ＮｉＦｅＡｌ、ＮｉＦｅＳｉ、ＮｉＦｅＮｂ、ＮｉＦｅＢ、ＮｉＦｅＮｂＢ、ＮｉＦｅＭｏおよびＮｉＦｅＣｒなどを用いることができる。また、非磁性材料としては、Ｔａ、ＺｒおよびＮｉ3Ａｌなどの材料を用いることができる。
【００２５】
非磁性中間層３３は、第１の磁気記録層３４の結晶配向性、結晶粒径及び粒界偏析を好適に制御するために形成される。非磁性中間層３３には、Ｒｕ、Ｒｕ中にＣ、Ｃｕ、Ｗ、Ｍｏ、Ｃｒ、Ｉｒ、Ｐｔ、Ｒｅ、Ｒｈ、ＴａおよびＶからなる群から選択される材料を１種類以上添加したＲｕ基合金、Ｐｔ、Ｉｒ、Ｒｅ並びにＲｈなどを用いることが好ましい。なお、非磁性中間層３３も省略することができる。
【００２６】
第１の磁気記録層３４には、少なくともＣｏとＰｔとを含む合金の強磁性材料が好適に用いられる。また、第１の磁気記録層３４の磁化容易軸（例えば、六方最密充填構造のｃ軸）は、記録媒体の面内方向に対して垂直方向に配向される。これは、形成された磁気記録媒体を垂直磁気記録媒体として使用するために必要である。第１の磁気記録層３４としては、ＣｏＰｔ、ＣｏＣｒＰｔ、ＣｏＣｒＰｔＢおよびＣｏＣｒＰｔＴａなどの合金材料、（Ｃｏ／Ｐｔ）ｎおよび（Ｃｏ／Ｐｄ）ｎなどの多層積層膜、並びに、ＣｏＰｔ−ＳｉＯ2、ＣｏＣｒＰｔＯ、ＣｏＣｒＰｔ−ＳｉＯ2、ＣｏＣｒＰｔ−Ａｌ2Ｏ3、ＣｏＰｔ−ＡｌＮおよびＣｏＣｒＰｔ−Ｓｉ3Ｎ4などのグラニュラー材料からなる磁気記録層を用いることができる。
【００２７】
結合層３５は、第１の磁気記録層３４と第２の磁気記録層３６とを適切に強磁性結合させるために形成される。結合層３５に用いる材料としては、Ｖ、Ｃｒ、Ｆｅ、Ｃｏ、Ｎｉ、Ｃｕ、Ｎｂ、Ｍｏ、Ｒｕ、Ｒｈ、Ｔａ、Ｗ、ＲｅおよびＩｒから選ばれる材料、またはこれらを主成分とする合金が好ましい。  
第２の磁気記録層３６は、第１の磁気記録層３４と同様の材料および構成を用いることができる。  
プリフォーマット情報は、第２の磁気記録層３６をパターニングして形成される。第２の磁気記録層３６のパターニングは、たとえば、半導体プロセスのようなエッチング工程を用いて、第２の磁気記録層３６を部分的に除去することで行われる。
【００２８】
保護層３７には、例えば、カーボンを主体とする薄膜が好適に用いられる。また、その材料として、磁気記録媒体の保護層として一般的に用いられる様々なその他の薄膜材料を使用しても良い。  
液体潤滑層３８には、例えば、パーフルオロポリエーテル系の潤滑剤を用いることができる。また、その材料としては、磁気記録媒体の液体潤滑層材料として一般的に用いられる様々な潤滑材料を使用しても良い。
【００２９】
このように形成された磁気記録媒体には、その表面に凹凸形状が残ることになるが、例えば、図４に示されるように、凹部に非磁性体３９を充填して媒体表面を平坦化してもよい。
【００３０】
次いで、上述したように形成された磁気記録媒体に対して、パターンを磁化する初期化を行なう。初期化は、図５に示されるように、単磁極ヘッド５１を図中の矢印の方向（円周方向）に相対的に移動させ、それによって作り出される垂直磁界により行なう。より好ましくは、初期化は、図６に示すように、媒体を挟んで対向して配置された２つの単磁極ヘッド６１、６２を用いて、それらの磁極が反対の磁極となるようにして行なう。こうすることにより、磁界の広がりを小さくすることができる。
【００３１】
以下に、図６及び図７を参照しながら、パターンを磁化する初期化についてより詳細に説明する。なお、図７は、本発明の一実施形態に係る垂直磁気記録媒体を初期化する方法を示す図であって、より具体的には、磁気記録媒体が磁化された状態を示す。
【００３２】
まず、第１の工程の磁化として、図６（ａ）に示されるように、単磁極ヘッド６１を図中の矢印の方向（円周方向）に相対的に移動させる。そうすることによって作り出される垂直磁界により、第１の磁気記録層３４および第２の磁気記録層３６が磁化される。このときの単磁極ヘッド６１が作り出す磁界の強さは、第２の磁気記録層３６が除去された部分の第１の磁気記録層３４を磁化反転させる強さを有する。第１の工程の磁化により、図７（ａ）に示されるように、媒体の全面が一方向に磁化された状態となる。
【００３３】
次いで、第２の工程の磁化を行なう。図６（ｂ）に示されるように、第２の工程の磁化では、単磁極ヘッド６１、６２の磁極は、第１の工程の時と逆にする。また、磁界の強さＨ2は、第２の磁気記録層３６がある箇所の反転磁界をＨa、第２の磁気記録層３６を除去した箇所の反転磁界をＨbとすると、Ｈb＞Ｈ2＞Ｈaとなるようにする。このようにして、単磁極ヘッド６１、６２を図中の矢印の方向（円周方向）に相対的に移動させ、作り出される垂直磁界により、第２の磁気記録層３６と第２の磁気記録層３６とが存在する箇所の記録層を磁化する。第２の工程の磁化により、図７（ｂ）に示されるように、第２の磁気記録層３６がない箇所は、第１の工程で磁化された状態で、第２の磁気記録層３６がある箇所は、第２の工程で磁化され、第１の工程で磁化された方向と逆向きとなる。結果として、このようなパターンにより、−Ｖ〜＋Ｖの再生出力を得ることができる。
【００３４】
（第２の実施形態）
図８は、本発明の一実施形態に係る垂直磁気記録媒体の断面模式図である。図８に示されるように、本実施形態に係る垂直磁気記録媒体は、非磁性基体３０を挟んでその両面に、第１の実施形態と同様の層が積層され、プリフォーマット情報が形成されている。このような構造の磁気記録媒体も、第１の実施形態と同様の方法により、初期化することが可能である。
【００３５】
まず、第１の工程の磁化として、図９（ａ）に示されるように、反対の磁極が媒体を挟んで対向するように配置した単磁極ヘッドを、図中の矢印の方向（円周方向）に相対的に移動させる。そうすることによって作り出される垂直磁界により、第１の磁気記録層３４および第２の磁気記録層３６が磁化される。このときの単磁極ヘッドが作り出す磁界の強さは、第２の磁気記録層３６が除去された部分の第１の磁気記録層３４を磁化反転させる強さとする。第１の工程の磁化により、図１０（ａ）に示されるように、媒体の全面が一方向に磁化された状態となる。
【００３６】
次いで、第２の工程の磁化を行なう。図９（ｂ）に示されるように、第２の工程の磁化では、単磁極ヘッドの磁極は、第１の工程の時と逆向きにする。また、磁界の強さＨ2は、第２の磁気記録層３６がある箇所の反転磁界をＨa、第２の磁気記録層３６を除去した箇所の反転磁界をＨbとすると、Ｈb＞Ｈ2＞Ｈaとなるようにする。単磁極ヘッドを図中の矢印の方向（円周方向）に相対的に移動させ、作り出される垂直磁界により第２の磁気記録層３６と、第２の磁気記録層３６とが存在する箇所の記録層とを磁化する。第２の工程の磁化により、図１０（ｂ）に示されるように、第２の磁気記録層３６がない箇所は、第１の工程で磁化された状態のままであり、第２の磁気記録層３６がある箇所は、第２の工程で磁化され、第１の工程で磁化された方向と逆向きとなる。
【００３７】
このようにして初期化した磁気記録媒体の、磁気ヘッドによる再生信号を図１１に示す。紙面上方を第１面、第１面の反対側の面を第２面とすると、図１１（ａ）は第１面の再生信号を示し、図１１（ｂ）は第２面の再生信号を示す。図示されるように、このようなパターンにより、−Ｖ〜＋Ｖの再生出力を得ることができる。また、第１面と第２面では、パターンからの出力極性が逆になる。
【図面の簡単な説明】
【００３８】
【図１】本発明の一実施形態に係る、垂直磁気記録媒体の断面模式図である。
【図２】図１に示された垂直磁気記録媒体を初期化する方法の概要を示す図である。
【図３】本発明の一実施形態に係る、垂直磁気記録媒体の断面模式図である。
【図４】本発明の一実施形態に係る、垂直磁気記録媒体の断面模式図である。
【図５】本発明の一実施形態に係る、垂直磁気記録媒体を初期化する方法を示す図である。
【図６】本発明の一実施形態に係る、垂直磁気記録媒体を初期化する方法を示す図である。
【図７】本発明の一実施形態に係る、垂直磁気記録媒体を初期化する方法を示す図である。
【図８】本発明の一実施形態に係る、垂直磁気記録媒体の断面模式図である。
【図９】本発明の一実施形態に係る、垂直磁気記録媒体を初期化する方法を示す図である。
【図１０】本発明の一実施形態に係る、垂直磁気記録媒体を初期化する方法を示す図である。
【図１１】本発明の一実施形態に係る初期化方法によって初期化された垂直磁気記録媒体の再生信号を示す図である。
【図１２】サーボデータ等のプリフォーマット情報について説明するための、磁気記録媒体と磁気ヘッドの模式図である。
【図１３】図１２に示された磁気記録媒体の、再生信号を示す図である。
【符号の説明】
【００３９】
１０、３４  第１の磁気記録層
１１、３５  結合層
１２、３６  第２の磁気記録層
３０  非磁性基体
３１  軟磁性裏打ち層
３２  下地層
３３  非磁性中間層
３７  保護層
３８  潤滑層
３９  非磁性体
５１、６１、６２、９１、９２  単磁極ヘッド
１２０  磁気記録媒体
１２１  基板
１２２  軟磁性層
１２３  記録層
１２４  磁気ヘッド
【図１】
2009181613.tif 000003
【図２】
2009181613.tif 000004
【図３】
2009181613.tif 000005
【図４】
2009181613.tif 000006
【図５】
2009181613.tif 000007
【図６】
2009181613.tif 000008
【図７】
2009181613.tif 000009
【図８】
2009181613.tif 000010
【図９】
2009181613.tif 000011
【図１０】
2009181613.tif 000012
【図１１】
2009181613.tif 000013
【図１２】
2009181613.tif 000014
【図１３】
2009181613.tif 000015